(57)【要約】【課題】準備作業中には、誤って切断刃を操作しないような手段を設けた紙類切断装置を提供する。【解決手段】  紙類を切断する切断刃７Ａと切断刃７Ａを待機位置ａと切断作用位置ｂとに亘って駆動する駆動装置と、切断される紙類の束Ｔを載置する作業台２Ａとを備えた待機位置ａに位置する切断刃７Ａの下方で、作業台２Ａに載置された紙類の束Ｔの上方に位置し、かつ、切断刃７Ａの待機位置ａから切断作用位置ｂまでの移動を許容しながら異物の切断作用経路内への侵入を阻止するガード装置９を設け、そのガード装置９を退避位置と作用位置とに切換可能に構成してある。【選択図】  図２
0003204377.tif 000002
【実用新案登録請求の範囲】
【請求項１】
紙類を切断する切断刃と前記切断刃を待機位置と切断作用位置とに亘って駆動する駆動装置と、切断される紙類の束を載置する作業台とを備えた紙類切断装置の保護装置であって、
前記待機位置に位置する切断刃の下方で、前記作業台に載置された紙類の束の上方に位置し、かつ、前記切断刃の前記待機位置から前記切断作用位置までの移動を許容しながら異物の切断作用経路内への侵入を阻止するガード装置を設け、そのガード装置を退避位置と作用位置とに切換可能に構成してある紙類切断装置の保護装置。
【請求項２】
前記ガード装置のガイド本体が、前記切断作用経路より前記作業台における作業者側に設置され、作業台に載置された紙類の束上を左右に横断する長尺部材である請求項１記載の紙類切断装置の保護装置。
【考案の詳細な説明】
【技術分野】
【０００１】
本考案は、紙類を切断する切断刃と前記切断刃を待機位置と切断作用位置とに亘って駆動する駆動装置と、切断される紙類の束を載置する作業台とを備えた紙類切断装置の保護装置であって、
具体的には、長形１号や２号という種類名で表示される長方形をした封筒を、折り込みノリツケ作成する前の切断工程において使用される紙類切断装置に対して作業員の保護を図る紙類切断装置の保護装置に関する。
【背景技術】
【０００２】
一般に封筒を作成する手法として、長方形の原紙１０に対して、頭部と底部となる相対向する辺の両角部を切り落とすエキセン切断法という手法があり、そのエキセン切断法について説明する。図７（ａ）に示すように、切断刃７Ｂを封筒１０Ｃの頭部１０Ａとなる辺の両角に当て、図７（ｂ）に示すように、切断刃７Ｂで長さＬ１だけ切り落とす。この辺は封筒になった場合の開口端となる。図７（ｃ）に示すように、次に封筒１０Ｃになった場合に閉塞端となる底部１０Ｂの対角辺を切断刃側に反転させて、切断刃７Ｂで対角辺の両端を切り落とす。切り落とす長さＬ２は、開口端側の場合の長さＬ１に比べて短くなっている。以上のように、切断され成形された封筒原紙は、図７（ｄ）に示す相対向する折り畳み線１０ａで折り曲げられ、中央で重ね合されて袋状になる。その後、図７（ｅ）に示すように、折り曲げ線１０ｂで折り曲げられて閉塞端が形成される。
【０００３】
上記したような封筒用の原紙を裁断するには、その原紙を所定枚数重ね、作業台の作業面に載置する。その載置された原紙に対して作業者は原紙の上面を押さえて空気抜き等の準備作業を行った後に、切断装置の切断刃を駆動して、裁断を行っていた。
【先行技術文献】
【特許文献】
【０００４】
【特許文献１】特になし
【考案の概要】
【考案が解決しようとする課題】
【０００５】
しかし、上記のような場合に、切断装置に習熟していない作業者が作業に従事した場合に、上記した原紙を作業面に載置し、原紙表面に手を置いて皺取りや空気抜き等の準備作業を行っている最中に切断刃を誤って作動させることもあり、作業員が手傷を負う恐れがあった。
【０００６】
本考案の目的は、前記準備作業中には、誤って切断刃を操作しないような手段を設けた紙類切断装置の保護装置を提供する点にある。
【課題を解決するための手段】
【０００７】
〔構成〕
請求項１に係る考案の特徴構成は、前記待機位置と切断作用位置とに移動可能に位置する切断刃と、前記作業台に載置された紙類の束との間に位置し、かつ、前記切断刃の前記待機位置から前記切断作用位置までの移動を許容しながら他物の切断作用経路内への侵入を阻止するガード装置を設け、そのガード装置を退避位置と作用位置とに切換可能に構成してある点にあり、その作用効果は次の通りである。
【０００８】
〔作用〕
つまり、ガード装置を作用位置に位置させることによって、作業者が紙類の束に対する準備作業等を行おうとしても、ガード装置の存在によって、作業がし辛く、結果的に作業者の手指等の他物が切断作用経路内に侵入することを防止できる。
一方、作業台に載置された紙類等に対する準備作業を行う場合には、ガード装置を退避位置に位置させることによって、広いスペースを採って作業ができる。
【０００９】
〔効果〕
従って、ガード装置を設けることによって、切断作業を行う場合には、ガード装置を作用位置に位置させなければならない、又、紙類等の準備作業を行う場合にはガード装置を退避位置に位置させることができる、と言った作業規制基準が確立でき、可及的に作業事故の確率を下げることができる。
【００１０】
〔構成〕
請求項２に係る考案の特徴構成は、前記ガード装置のガード本体が、前記切断作用経路より前記作業台における作業者側に設置され、作業台に載置された紙類の束上を左右に横断する長尺部材である点にあり、その作用効果は次の通りである。
【００１１】
〔作用効果〕
ガード装置のガード本体としては、紙類の束上を左右に横断する長尺部材で構成することによって、簡単な構造でありながら、作業者に準備作業時の注意を喚起するに十分な構造を提供できた。
【図面の簡単な説明】
【００１２】
【図１】図１は、紙類切断装置の全体斜視図である。
【図２】図２は、紙類切断装置の全体正面図である。
【図３】図３は、紙類切断装置の全体側面図である。
【図４】図４は、保護装置としてのガード装置を示す斜視図である。
【図５】図５は、ガード装置を示す分解斜視図である。
【図６】図６は、ガード装置の別実施構造を示す斜視図である。
【図７】図７（ａ）は、封筒の製造工程を示す作用図である。
【図８】図８（ａ）は、切断刃と、切断刃の駆動装置を収納した紙類切断装置の可動枠フレームとを示す背面図、（ｂ）は、切断刃の駆動装置を駆動して切断刃を切断作用位置に向けて作動させた状態を示す背面図である。
【図９】図９（ａ）（ｂ）（ｃ）（ｄ）は、切断刃を駆動するエキセン機構を示す作用図である。
【図１０】図１０は、切断刃と、切断刃の駆動装置を収納した紙類切断装置の可動枠フレームとを示す縦断側面図である。
【図１１】図１１は、クラッチ機構と、そのクラッチ機構に対する操作構造を示した概略構成図である。
【考案を実施するための形態】
【００１３】
〔実施形態〕
紙類、特に、封筒作成に利用される紙類切断装置Ａについて説明する。
図１に示すように、紙類切断装置Ａは、架台１の上面に板状矩形の作業台２と、作業台２の中心位置に形成される切断用紙類の束Ｔを載置する載置面２Ａと、載置面２Ａの上方に切断機構Ｂを保持する可動枠フレーム３と、可動枠フレーム３を両脇及び後方部分からスライド可能に保持するガイドフレーム４Ａと、ガイドフレーム４Ａを前端に取付け載置面２Ａの後方より立設される伝動ケース兼用の支持ケース４と、支持ケース４に連なる動力供給用の原動ケース５とその原動ケース５に動力を供給する伝動輪体５Ａとが配置されて、構成されている。
【００１４】
切断機構Ｂについて説明する。図８（ａ）（ｂ）、図１０に示すように、切断機構Ｂは、切断刃機構７を保持して切断スライド作動する可動枠フレーム３と、その可動枠フレーム３を駆動する切断駆動装置Ｃとで構成してある。
図８（ａ）（ｂ）に示すように、可動枠フレーム３は、縦長で背面が開放されている箱状フレームであり、両サイドよりガイドフレーム４Ａに挟持された状態で上下にスライド作動する。その内部に、エキセン機構１２を保持する矩形の連動部材６と、連動部材６の可動枠フレーム３に対する相対高さ、つまり、切断刃機構７の高さを調節する切断機構位置調節装置１８とを保持している。
【００１５】
図８（ａ）（ｂ）に示すように、エキセン機構１２を保持する連動部材６は、可動枠フレーム３の枠内部空間内に位置し、可動枠フレーム３の両横側壁に形成したガイド部（図示せず）に沿って上下スライド移動する。つまり、連動部材６の上下高さｈは可動枠フレーム６の内部空間の上下高さＨより小さく、連動部材６は可動枠フレーム６の内部空間内を上下移動可能である。
【００１６】
切断駆動装置Ｃについて説明する。図１０に示すように、切断駆動装置Ｃは、連動部材６の内部に保持されているエキセン機構１２と、エキセン機構１２を駆動するクランクピン１３Ａ、そのクランクピン１３Ａを先端に一体形成し前記支持ケース４内で軸受け１６、１６を介して支持されている伝動軸１３と、クランクピン１３Ａとは反対側端に取り付けてある動力入力用の伝動輪体５Ａと、伝動軸１３と伝動輪体５Ａとの間に形成してあるクラッチ機構１５とでなる。
【００１７】
エキセン機構１２について説明する。図８から１０に示すように、エキセン機構１２は、クランクピン１３Ａに係合し、クランクピン１３Ａの伝動軸１３の軸芯を中心とした回転作動によって、上下左右に移動するコマ部材１２Ａと有しており、コマ部材１２Ａを保持しそれに連動して作動する前記した連動部材６を有している。
コマ部材１２Ａは、連動部材６に形成してある横向き長孔６Ａ部分にメタル軸受１２ａを介して係合され、クランクピン１３Ａの横向き移動成分を受けると長孔６Ａの横方向に移動して連動部材６とは一体で移動することはなく、クランクピン１３Ａの上下向き移動成分をうけると、上下方向に移動し、連動部材６と一体で上下方向に移動する。
【００１８】
図８から１０に示すように、連動部材６は可動枠フレーム３の天板部３Ａに回転自在に取付られた調節ハンドル１４と自身の前面から前方に延出した連結ボルト６Ｂとによって可動枠フレーム３と一体化されている。つまり、調節ハンドル１４は前記した天板部３Ａより下方に突出した部分に雄ネジ部１４ａが刻設してあり、その雄ネジ部１４ａを連動部材６の上面に形成した雌ネジ部６ａに螺合させてある。
【００１９】
一方、連結ボルト６Ｂは、可動枠フレーム３の前面３Ｂに形成された縦長孔３ｂを介して前方から差し込まれて、連動部材６に螺合して、連動部材６と可動枠フレーム３とを一体連結している。
以上のような構成によって、クランクピン１３Ａの作動は、エキセン機構１２を介して、連動部材６、及び、可動枠フレーム３を一体で上下作動させて、切断刃機構７で切断作用を行う。
【００２０】
クラッチ機構１５は、図１０及び図１１に示すように、連結用ピン１５ａをスライド自在に保持するクラッチケース１５Ａと、クラッチケース１５Ａ内において連結用ピン１５ａを連結方向に付勢する付勢バネ１５ｂとを設けてあり、後記するクラッチ操作機構１１によって入り切り操作される。
伝動輪体５Ａのクラッチケース１５Ａに向かう面には係合孔５ａが形成してあり、連結用ピン１５ａの先端部分が係合孔５ａに係合することによって、クラッチ機構１５が入り状態となる。
【００２１】
図３及び図１１に示すように、原動ケース５の近傍に設けてあるのは、クラッチ機構１５に対するクラッチ操作機構１１である。１１Ａはクラッチ操作機構１１のクラッチ駆動装置としての駆動シリンダである。駆動シリンダ１１Ａより上方に向けて操作用ロッド１１Ｂが立設してあり、操作用ロッド１１Ｂの先端側に天秤操作具１１Ｃが設けてある。その天秤操作具１１Ｃの操作端１１ａが、図１１に示すように、クラッチケース１５Ａの中間溝１５ｃの部分に入り込み、連結用ピン１５ａの係合側への移動を阻止している。
【００２２】
そして、操作用ロッド１１Ｂを引き下げ、天秤操作具１１Ｃの操作端１１ａをクラッチケース１５Ａの中間溝１５ｂより持ち上げ操作すると、連結用ピン１５ａの拘束が開放され、伝動輪体５Ａの係合孔５ａに連結用ピン１５ａが係合し、クラッチ入り状態を現出する。解除するには、操作用ロッド１１Ｂを持ち上げ操作すると、天秤操作具１１Ｃの操作端１１ａが連結用ピン１５ａを待機付勢位置に引き離し操作する。
【００２３】
切断刃機構７について説明する。図２及び図３に示すように、切断刃機構７は、可動枠フレーム３の下端に取付られている長方形状厚板の支持体７Ａと支持体７Ａの下向き面に固着されている切断刃７Ｂとで形成されている。切断刃７Ｂは、載置面２Ａの上方に位置する待機位置ａより載置面２Ａの直上面に至る切断作用位置ｂとの間の切断作用経路に沿って上下作動する。
【００２４】
切断機構Ｂの可動枠フレーム３とその内部空間に位置する連動部材６、及び、その連動部材６に保持されているコマ部材１２Ａは、図９（ａ）〜（ｄ）に示すように、クランクピン１３Ａの回転作動を受けて、一体となって上下作動し切断作用を行う。図９（ｄ）の待機位置ａより図９（ｂ）の切断作用位置ｂとの間を上下動する。
【００２５】
切断位置調節装置１８について説明する。図８〜図１０で示すように、コマ部材１２Ａを保持した連動部材６は、可動枠フレーム３と一体で上下作動し切断作用を行う事を説明した。連動部材６は、コマ部材１２Ａを保持した状態で、可動枠フレーム３に対して相対的に上下移動する。つまり、調節ハンドル１４を一方方向に回転させると、連動部材６がコマ部材１２Ａを保持した状態で、上下一方に相対移動する。他方向に調節ハンドル１４を回転させると、連動部材６が上下反対方向に相対移動する。
【００２６】
ところで、コマ部材１２Ａを保持した連動部材６は、伝動軸１３を介して固定側に繋がっているので、実際には、調節ハンドル１４を回転操作すると、可動枠フレーム３が連動部材６に対して相対移動することになる。その場合に、連動部材６と可動枠フレーム３とを連結している連結ボルト６Ｂを緩める必要がある。
つまり、連結ボルト６Ｂを緩めて可動枠フレーム３と連動部材６との連結状態を緩め、調節ハンドル１４を回転操作すると、可動枠フレーム３を連動部材６に対して相対上下動させることができ、可動枠フレーム３の下端に取り付けてある切断刃機構７の待機位置ａを変更調節することができる。
従って、図８（ａ）の状態より、図８（ｂ）に示すように、調節ハンドル１４を回転操作して、連動部材６を可動枠フレーム３に対して相対的に上昇させると、反対に可動枠フレーム３が下降したことになり、切断刃機構７の待機位置ａを下方に調節移動させることができる。以上が切断位置調節装置１８の構成である。
【００２７】
切断刃７Ｂは、図１〜３、７〜９に示すように、対称な形状を呈して左右一対装備されており、板状の材料を左右側端側に正面向き姿勢の直線部７ａとその直線部７ａの内向き端より後方側に屈折している傾斜部７ｂとを一体形成したものである。このように、屈折成形された左右一対の切断刃７Ｂによって、図７（ａ）における封筒形成用の原紙１０の両角部１０ａ、１０ａが切断される。
【００２８】
図２及び図３に示すように、作業台２の中心位置に形成される切断用紙類の束Ｔを載置する載置面２Ａには、載置された切断用紙類の束Ｔを規制する規制体８を設けてあり、図２に示すように、左側方より位置規制するアングル状の横規制体８Ａと、図２に示すように、切断用紙類の束Ｔを奥側で位置規制する奥規制体８Ｂとで構成されている。横規制体８Ａ及び奥規制体８Ｂ共に、規制位置を左右前後に変更可能に構成されている。
【００２９】
次に、異物の切断作用経路内への侵入を阻止するガード装置９について説明する。図１〜５に示すように、ガード装置９は、長尺板状のガード本体９Ａと、ガード本体９Ａを左右で上下移動可能に支持するガード駆動装置としての左右の駆動シリンダ９Ｂ、９Ｂと、左右の駆動シリンダ９Ｂ、９Ｂを夫々支持すべく作業台２の側面に取り付けられている支持ベース台９Ｃとでなる。
【００３０】
ガード本体９Ａは、図４及び図５に示すように、作業台２の左右側端に亘る長さを備えた細幅長尺板材９ａと、その細幅長尺部材９ａの左右両端に固着された長方板状の取付ブラケット９ｂと、細幅長尺板材９ａの中間位置における下面に取付固定される短尺の当たりプレート９ｃとで構成されている。細幅長尺板材９ａと短尺の当たりプレート９ｃには、複数の取付け用ボルト孔９ｅが形成されている。
【００３１】
図４，５に示すように、支持ベース台９Ｃには、駆動シリンダ９Ｂを取り付ける為に、上下一対のアングル状取付ブラケット９ｄ、９ｄが取付固定されており、この上下一対のアングル状取付ブラケット９ｄ、９ｄに前記した駆動シリンダ９Ｂを取付ている。
駆動シリンダ９Ｂの上端より連係ロッド９ｇが延出され、その連係ロッド９ｇの先端に、上下二つのナット９ｆ、９ｆによって、ガード本体９Ａの取付ブラケット９ｂが挟み込み連結されている。
【００３２】
以上のような構成によって、ガード本体９Ａは、上方に位置する退避位置と下方に移動する作用位置とに亘ってストロークＬ４で移動可能である。
図４に示すように、支持ベース台９Ｃの上端面は、ガード本体９Ａが下降作動する際に、そのガード本体９Ａの取付ブラケット９ｂの下向き面を受止めることによって、ガード本体９Ａの下限位置、つまり、作用位置を設定する規制面となっている。
【００３３】
以上のような構成により、作業者は、ガード本体９Ａが封筒用原紙の束の上面に至ったことを確認して、フットペダル１３を踏込み、クラッチ操作機構１１によりクラッチ機構１５を入り作動させて切断機構Ｂを作動させることができる。
【００３４】
〔別実施形態〕
（１）  駆動シリンダ９Ｂの取付構造としては、次のような形態のものでもよい。図６に示すように、駆動シリンダ９Ｂを取り付ける支持ベース台９Ｃは、取付プレート９Ｄを介して作業台２に装着される構成を採っている。その支持ベース台９Ｃには、前記した実施形態と同様に、上下一対のアングル状取付ブラケット９ｄ、９ｄが取付固定されており、このアングル状取付ブラケット９ｄに前記した駆動シリンダ９Ｂが取付られている。
【産業上の利用可能性】
【００３５】
本考案に係る紙類切断装置Ａは、ガード装置９を備えることによって、より安全に使用できる装置となった。
【符号の説明】
【００３６】
１      架台
２      作業台
２Ａ    載置面
３      可動枠フレーム
４      支持ケース
４Ａ    ガイドフレーム
５      原動ケース
５Ａ    伝動輪体
６      連動部材
６Ａ    長孔
７      切断刃機構
７Ａ    支持体
７Ｂ    切断刃
７ａ    直線部
７ｂ    傾斜部
８      規制体
８Ａ    横規制体
９      ガード装置
９Ａ    ガード本体
９Ｂ    駆動シリンダ
９Ｃ    支持ベース台
９ａ    細幅長尺板材
９ｂ    取付ブラケット
９ｃ    当たりプレート
９ｄ    アングル状取付ブラケット
９ｅ    取付け用ボルト孔
９ｆ    ナット
９ｇ    連係ロッド
１０    封筒用の原紙
１０ａ  両角部
１１    クラッチ操作機構
１１Ａ  クラッチ駆動装置（駆動シリンダ）
１１Ｂ  操作用ロッド
１１Ｃ  天秤操作具
１１ａ  操作端
１２    エキセン機構
１２Ａ  コマ部材
１２ａ  メタル軸受
１３    伝動軸
１３Ａ  クランクピン
１４    調節ハンドル
１４ａ  雄ネジ部
１５    クラッチ機構
１５Ａ    クラッチケース
１５ａ    連結用ピン
１５ｂ    中間溝
１６    軸受
１７    フットペダル
１８    切断機構上下位置調節装置
Ａ      紙類切断装置
Ｂ      切断機構
Ｃ      切断駆動装置
Ｔ      紙類の束
ａ      待機位置
ｂ      切断作用位置
【図１】
0003204377.tif 000003
【図２】
0003204377.tif 000004
【図３】
0003204377.tif 000005
【図４】
0003204377.tif 000006
【図５】
0003204377.tif 000007
【図６】
0003204377.tif 000008
【図７】
0003204377.tif 000009
【図８】
0003204377.tif 000010
【図９】
0003204377.tif 000011
【図１０】
0003204377.tif 000012
【図１１】
0003204377.tif 000013